(57)【要約】【課題】従来の発光制御システムを用いて被写体を撮影する場合に、複数のスピードライト用の電源として電池等を別途確保する必要がある。【解決手段】照明制御装置は、電灯のソケットに対して着脱可能に取り付けられる取付部と、撮像装置から発光を指令する発光指令信号を受信する受信部と、発光指令信号が受信された場合に、ソケットから取付部を介して供給される電力を用いて、照明ユニットに第１の発光を実行させる発光制御部とを備える。【選択図】図１
2013029668.tif 000002
【特許請求の範囲】
【請求項１】
電灯のソケットに対して着脱可能に取り付けられる取付部と、
撮像装置から発光を指令する発光指令信号を受信する受信部と、
前記発光指令信号が受信された場合に、前記ソケットから前記取付部を介して供給される電力を用いて、第１の発光を照明ユニットに実行させる発光制御部と
を備える照明制御装置。
【請求項２】
前記発光制御部は、前記発光指令信号が受信されていない場合に、前記ソケットから前記取付部を介して供給される電力を用いて、前記第１の発光より光量の少ない第２の発光を前記照明ユニットに実行させる請求項１に記載の照明制御装置。
【請求項３】
前記第１の発光は閃光発光であり、
前記第２の発光は照明用発光である請求項２に記載の照明制御装置。
【請求項４】
前記発光制御部は、前記発光指令信号が受信された場合に、前記照明ユニットの電流に起因する電圧と比較するための基準電圧を変更し、変更した基準電圧と前記照明ユニットの電流に起因する電圧とを比較して前記照明ユニットに前記第１の発光を実行させる請求項１から３のいずれか１項に記載の照明制御装置。
【請求項５】
前記発光制御部は、前記発光指令信号が受信された場合に、前記照明ユニットの電流に起因する電圧を測定するための抵抗器の抵抗値を変更し、変更した抵抗値で測定された前記照明ユニットの電流に起因する電圧と基準電圧とを比較して前記照明ユニットに前記第１の発光を実行させる請求項１から３のいずれか１項に記載の照明制御装置。
【請求項６】
前記受信部は、前記発光指令信号の前に撮影の直前であることを示す撮影直前信号を受信し、
前記発光制御部は、前記撮影直前信号が受信された場合に、前記第１の発光の準備処理を実行する請求項１から５のいずれか１項に記載の照明制御装置。
【請求項７】
前記発光制御部は、前記準備処理として、前記照明ユニットの発光色の変更、前記照明ユニットの照射位置の変更および前記照明ユニットの照射方向の変更のうちの少なくとも１つを実行する請求項６に記載の照明制御装置。
【請求項８】
前記受信部は、前記発光指令信号とともに周期信号を受信し、
前記発光制御部は、前記周期信号に基づいて、前記照明ユニットに前記第１の発光を周期的に実行させる請求項１から７のいずれか１項に記載の照明制御装置。
【請求項９】
前記照明ユニットを着脱可能に装着する装着部と
を備える請求項１から８のいずれか１項に記載の照明制御装置。
【請求項１０】
請求項１から８のいずれか１項に記載の照明制御装置と、
前記照明制御装置と一体に形成された前記照明ユニットと
を備える照明機器。
【請求項１１】
電灯のソケットに対して着脱可能に取り付けられる取付部を備える照明制御装置の制御プログラムであって、
撮像装置から発光を指令する発光指令信号を受信する受信ステップと、
前記発光指令信号が受信された場合に、前記ソケットから前記取付部を介して供給される電力を用いて発光を実行するように照明ユニットを制御する発光制御ステップと
をコンピュータに実行させる照明制御装置の制御プログラム。
【発明の詳細な説明】
【技術分野】
【０００１】
本発明は、照明制御装置、照明機器および照明制御装置の制御プログラムに関する。
【背景技術】
【０００２】
カメラ本体とは別の複数のスピードライトユニットを被写体の周りに設置し、カメラによる被写体撮影時に複数のスピードライトユニットが協調して閃光発光を行う発光制御システムが知られている。
［先行技術文献］
［特許文献］
［特許文献１］特開２０１０−１３４０４５号公報
【発明の概要】
【発明が解決しようとする課題】
【０００３】
しかしながら、従来の発光制御システムを用いて被写体を撮影する場合に、複数のスピードライト用の電源として電池等を別途確保する必要がある。
【課題を解決するための手段】
【０００４】
本発明の第１の態様における照明制御装置は、電灯のソケットに対して着脱可能に取り付けられる取付部と、撮像装置から発光を指令する発光指令信号を受信する受信部と、発光指令信号が受信された場合に、ソケットから取付部を介して供給される電力を用いて、照明ユニットに第１の発光を実行させる発光制御部とを備える。
【０００５】
また、本発明の第２の態様における照明制御装置の制御プログラムは、電灯のソケットに対して着脱可能に取り付けられる取付部を備える照明制御装置の制御プログラムであって、撮像装置から発光を指令する発光指令信号を受信する受信ステップと、発光指令信号が受信された場合に、ソケットから取付部を介して供給される電力を用いて発光を実行するように照明ユニットを制御する発光制御ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る照明システムの概念を説明する概念図である。
【図２】照明制御ユニットの外観図である。
【図３】照明制御ユニットのシステム構成図である。
【図４】電圧測定回路および基準電圧設定回路の回路構成図である。
【図５】カメラのシステム構成図である。
【図６】照明制御処理を示すフロー図である。
【図７】照明ユニットの照射方向を変更可能な照明制御ユニットの構成図である。
【図８】撮影直前信号を用いた照明制御処理を示すフロー図である。
【図９】動画撮影時の閃光発光制御処理を示すフロー図である。
【図１０】照明機器の外観図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る照明システムの概念を説明する概念図である。照明システムは、少なくとも照明制御ユニット１０および照明ユニット２０を含む。照明制御ユニット１０は、部屋の天井に設けられた電灯のソケット３０に着脱可能に取り付けられ、ソケット３０から電力の供給を受け付ける。そして、照明制御ユニット１０は、自身に装着された照明ユニット２０に対して電力を出力する。照明ユニット２０は、照明制御ユニット１０に着脱可能に装着され、照明制御ユニット１０から出力される電力に応じて発光する。本実施形態において、照明ユニット２０は、発光素子としてＬＥＤを含むＬＥＤ照明ユニットである。
【００１０】
ソケット３０は、取り付けられた照明制御ユニット１０に対して電力を供給する。ソケット３０の一例として、Ｅ２６口金用のソケットが挙げられる。なお、本実施形態において、ソケット３０は、交流電源と接続し、交流電力を照明制御ユニット１０に対して供給する。
【００１１】
撮影者は、被写体を本実施形態の撮像装置であるカメラ４０で撮影する場合に、照明ユニット２０に発光を指示する発光指示信号を光通信等の無線通信によりカメラ４０から照明制御ユニット１０へ送信させる。発光指示信号を受信した照明制御ユニット１０は、第１の発光としての閃光発光を照明ユニット２０に実行させる。このように撮影時に、部屋に設置されている電灯の電源を用いて、照明ユニット２０をスピードライトとして活用することができる。
【００１２】
また、照明制御ユニット１０は、発光指示信号を受信していない場合に、第２の発光として照明用発光を照明ユニット２０に実行させる。したがって、撮影時には照明ユニット２０をスピードライトとして活用し、撮影時以外のときには照明ユニット２０を部屋の照明として活用することができる。
【００１３】
図２は、照明制御ユニットの外観図である。図２に示すとおり、照明制御ユニット１０は、ユニット本体１１、取付部１２、通信アンテナ１３および装着部１４を備える。取付部１２は、ユニット本体１１から突出し、電灯のソケット３０に着脱可能に取り付けられる。取付部１２の一例としてＥ２６口金が挙げられる。
【００１４】
通信アンテナ１３は、ユニット本体１１の外面に設けられ、カメラ４０等の外部機器との間で信号の送受信を行う。本実施形態において、照明制御ユニット１０とカメラ４０との間の通信は光通信であり、通信アンテナ１３の一部は、カメラ４０からの光信号を受光する受光面で構成される。また、通信アンテナ１３の他の部分は、カメラ４０以外の機器との間の通信に用いられる。図２において通信アンテナ１３は１つ設けられているが２つ以上設けられていてもよい。装着部１４は、ユニット本体１１に設けられた凹部であり、照明ユニット２０が取り付けられる。装着部１４の一例としてＥ２６口金用のソケットが挙げられる。
【００１５】
図３は、照明制御ユニットのシステム構成図である。照明制御ユニット１０の全体は、システム制御部１００により直接的または間接的に制御される。システム制御部１００は、システムメモリ１０１と接続されている。システムメモリ１０１は、電気的に消去・記録可能な不揮発性メモリであり、例えばＥＥＰＲＯＭ（登録商標）等により構成される。システムメモリ１０１は、の動作時に必要な定数、変数、プログラム等を、照明制御ユニット１０の非動作時にも失われないように記録している。
【００１６】
ＡＣ−ＤＣコンバータ１０２は、ソケット３０から取付部１２に供給された交流電力を直流電力に変換して出力する。電圧制御回路１０３は、システム制御部１００からの制御信号に応じて、ＡＣ−ＤＣコンバータ１０２から出力された直流電力の電圧を変更する。そして、電圧制御回路１０３は、変更した電圧を有する直流電力を、装着部１４を介して照明ユニット２０の発光素子であるＬＥＤ２１へ出力する。本実施形態において、電圧制御回路１０３は、パルス幅変調（ＰＷＭ）により電圧を制御する。ＬＥＤ２１は、電圧制御回路１０３から出力された直流電力に応じて発光する。
【００１７】
電圧測定回路１０４は、抵抗器を用いてＬＥＤ２１に流れる電流に起因する電圧を測定する。電圧測定回路１０４の測定結果は比較部１０６へ出力される。電圧測定回路１０４は、複数の抵抗器を備え、この複数の抵抗器から一つの抵抗器を選択してＬＥＤ２１に流れる電流に起因する電圧を測定してもよい。この場合、システム制御部１００は、抵抗器の選択を指令する制御信号を電圧測定回路１０４へ出力するようにしてもよい。電圧測定回路１０４の具体的な構成は後述する。
【００１８】
基準電圧設定回路１０５は、ＬＥＤ２１の光量制御に用いられる基準電圧を設定する。基準電圧設定回路１０５で設定された基準電圧は、比較部１０６へ供給される。基準電圧設定回路は、複数の基準電圧源を備え、この複数の基準電圧源から一つの基準電圧源を選択して基準電圧を設定してもよい。この場合、システム制御部１００は、基準電圧源の選択を指令する制御信号を基準電圧設定回路１０５へ出力するようにしてもよい。基準電圧設定回路１０５の具体的な構成は後述する。
【００１９】
比較部１０６は、コンパレータ等により構成され、電圧測定回路１０４から出力されるＬＥＤ２１に流れる電流に起因する電圧と基準電圧設定回路１０５から出力される基準電圧とを比較する。そして、比較部１０６は比較結果をシステム制御部１００へ出力する。システム制御部１００は、比較部１０６の比較結果に応じて電圧制御回路１０３を制御する。具体的には、システム制御部１００は、ＬＥＤ２１に流れる電流に起因する電圧値が基準電圧値より小さい場合には、ＰＷＭのデューティ比を上げる制御信号を電圧制御回路１０３へ出力する。また、システム制御部１００は、ＬＥＤ２１に流れる電流に起因する電圧値が基準電圧値より大きい場合には、ＰＷＭのデューティ比を下げる制御信号を電圧制御回路１０３へ出力する。そして、システム制御部１００は、ＬＥＤ２１に流れる電流に起因する電圧値と基準電圧値とが同一になった場合に、ＰＷＭのデューティ比の変更を終了する。
【００２０】
無線通信モジュール１０７は、通信アンテナ１３を介してカメラ４０等の外部機器と通信を行う。本実施形態において、無線通信モジュール１０７は、カメラ４０と光通信を行い、カメラ４０から光信号を受信する。なお、本実施形態において、無線通信モジュール１０７および通信アンテナ１３は、カメラ４０から発光を指令する発光指令信号を受信する受信部として機能する。
【００２１】
無線通信モジュール１０７がカメラ４０から発光指令信号を受信した場合に、システム制御部１００は、閃光発光をＬＥＤ２１に実行させる電力を電圧制御回路１０３に出力させる。具体的には、システム制御部１００は、閃光発光をＬＥＤ２１に実行させる電力に対応するＰＷＭのデューティ比に変更する制御信号を電圧制御回路１０３へ送信する。本実施形態において、システム制御部１００は、カメラ４０からの発光指令信号が受信された場合に、ソケット３０から取付部１２を介して供給される電力を用いて、第１の発光としての閃光発光を照明ユニット２０に実行させる発光制御部として機能する。
【００２２】
また、無線通信モジュール１０７がカメラ４０から発光指令信号を受信していない場合に、システム制御部１００は、閃光発光より光量の少ない照明用発光をＬＥＤ２１に実行させる電力を電圧制御回路１０３に出力させる。具体的には、システム制御部１００は、照明用発光をＬＥＤ２１に実行させる電力に対応するＰＷＭのデューティ比に変更する制御信号を電圧制御回路１０３へ送信する。本実施形態において、システム制御部１００は、カメラ４０からの発光指令信号が受信されていない場合に、ソケット３０から取付部１２を介して供給される電力を用いて、第１の発光より光量の少ない第２の発光としての照明用発光を照明ユニット２０に実行させる発光制御部として機能する。
【００２３】
ここで、本実施形態における発光制御処理の詳細について図４を用いて説明する。図４は、電圧測定回路および基準電圧設定回路の回路構成図である。図４（ａ）は、電圧測定回路１０４および基準電圧設定回路１０５の回路構成の第１の例を示す。図４（ａ）に示すとおり、電圧測定回路１０４は、抵抗値がＲである１つの抵抗器を有する。また、基準電圧設定回路１０５は、電圧値がＶａである第１基準電圧源、電圧値がＶｂである第２基準電圧源、並びに、第１基準電圧源および第２基準電圧源のいずれかとシステム制御部１００とを接続するスイッチとを有する。
【００２４】
第１の例において、システム制御部１００は、ＬＥＤ２１に照明用発光を実行させる場合に、基準電圧設定回路１０５の第１基準電圧源に接続する。次に、システム制御部１００は、電圧測定回路１０４の抵抗器を用いて測定されるＬＥＤ２１の電流に起因する電圧値と第１基準電圧源の電圧値Ｖａとの比較結果を、コンパレータで構成された比較部１０６から取得する。そして、システム制御部１００は、ＬＥＤ２１の電流に起因する電圧値と第１基準電圧源の電圧値Ｖａとが同一になるように、比較部１０６の比較結果に応じて電圧制御回路１０３の出力電圧を制御する。なお、ＬＥＤ２１の電流に起因する電圧値と第１基準電圧源の電圧値Ｖａとが同一である場合においてＬＥＤ２１が照明用の設計光量を発光するように、抵抗器の抵抗値Ｒおよび第１基準電圧源の電圧値Ｖａは予め定められている。
【００２５】
無線通信モジュール１０７がカメラ４０から発光指令信号を受信した場合、システム制御部１００は、基準電圧設定回路１０５のスイッチを切り替えて第２基準電圧源に接続する。第２電圧源の電圧値Ｖｂは、照明用発光の光量に対する閃光発光の光量の比を第１基準電圧源の電圧値Ｖａに掛けた値で定められる。例えば、閃光発光の光量が照明用発光の光量の１０倍の場合、第２基準電圧源の電圧値Ｖｂは、第１基準電圧源の電圧値Ｖａの１０倍となる。
【００２６】
基準電圧設定回路１０５のスイッチの切替後、システム制御部１００は、電圧測定回路１０４の抵抗器を用いて測定されるＬＥＤ２１の電流に起因する電圧値と第２基準電圧源の電圧値Ｖｂとを比較する。そして、システム制御部１００は、ＬＥＤ２１の電流に起因する電圧値と第２基準電圧源の電圧値Ｖｂとが同一になるように、電圧制御回路１０３の出力電圧を制御する。したがって、ＬＥＤ２１の電流値は基準電圧設定回路１０５の基準電圧の上昇に応じて大きくなり、ＬＥＤ２１の光量が増加して閃光発光が行われる。
【００２７】
システム制御部１００は、閃光発光の発光期間が経過した場合に、基準電圧設定回路１０５のスイッチを切り替えて第１基準電圧源に接続し、ＬＥＤ２１に照明用発光を実行させる。この発光期間は、被写体撮影前において照明ユニット２０に一定期間の閃光発光を実行させて撮影した試験撮影に応じてカメラ４０が算出した期間である。発光期間の情報は、発光指令信号に含まれる。このように基準電圧設定回路１０５の基準電圧源をスイッチにより切り替えることにより、瞬時に大光量の閃光発光を照明ユニット２０に実行させることができる。
【００２８】
図４（ｂ）は、電圧測定回路１０４および基準電圧設定回路１０５の回路構成の第２の例を示す。図４（ｂ）に示すとおり、電圧測定回路１０４は、抵抗値がＲａである第１抵抗器、抵抗値がＲｂである第２抵抗器、並びに、第１抵抗器および第２抵抗器のいずれかとシステム制御部１００とを接続するスイッチを有する。また、基準電圧設定回路１０５は、電圧値がＶである１つの基準電圧源を有する。
【００２９】
第２の例において、システム制御部１００は、ＬＥＤ２１に照明用発光を実行させる場合に、電圧測定回路１０４の第１抵抗部に接続する。次に、システム制御部１００は、抵抗値がＲａである第１抵抗器を用いて測定されるＬＥＤ２１の電流に起因する電圧値と基準電圧源の電圧値Ｖとの比較結果を、コンパレータで構成された比較部１０６取得する。そして、システム制御部１００は、ＬＥＤ２１の電流に起因する電圧値と基準電圧源の電圧値Ｖとが同一になるように、比較部１０６の比較結果に応じて電圧制御回路１０３の出力電圧を制御する。なお、ＬＥＤ２１の電流に起因する電圧値と基準電圧源の電圧値Ｖとが同一である場合においてＬＥＤ２１が照明用の設計光量を発光するように、第１抵抗器の抵抗値Ｒａおよび基準電圧源の電圧値Ｖは予め定められている。
【００３０】
無線通信モジュール１０７がカメラ４０から発光指令信号を受信した場合、システム制御部１００は、電圧測定回路１０４のスイッチを切り替えて第２抵抗器に接続する。第２抵抗器の抵抗値Ｒｂは、第１抵抗器の抵抗値Ｒａを、照明用発光の光量に対する閃光発光の光量の比で割った値で定められる。例えば、閃光発光の光量が照明用発光の光量の１０倍の場合、第２抵抗器の電圧値Ｒｂは、第１抵抗器の電圧値Ｒａの１／１０倍となる。
【００３１】
電圧測定回路１０４のスイッチの切替後、システム制御部１００は、第２抵抗器を用いて測定されるＬＥＤ２１の電流に起因する電圧値と基準電圧源の電圧値Ｖとを比較する。そして、システム制御部１００は、ＬＥＤ２１の電流に起因する電圧値と基準電圧源の電圧値Ｖとが同一になるように、電圧制御回路１０３の出力電圧を制御する。したがって、ＬＥＤ２１の電流値は電圧測定回路１０４の抵抗値の下降に応じて大きくなり、ＬＥＤ２１の光量が増加して閃光発光が行われる。
【００３２】
システム制御部１００は、閃光発光の発光期間が経過した場合に、電圧測定回路１０４のスイッチを切り替えて第１抵抗器に接続し、ＬＥＤ２１に照明用発光を実行させる。この発光期間は、上述した第１の例と同様に、カメラ４０が算出した期間であり、発光期間の情報は発光指令信号に含まれる。このように電圧測定回路１０４の抵抗器をスイッチにより切り替えることにより、瞬時に大光量の閃光発光を照明ユニット２０に実行させることができる。
【００３３】
図５は、カメラのシステム構成図である。ここでは、レンズ交換式カメラを例に説明するが、レンズ光学系が一体的に構成されたコンパクトデジタルカメラであっても良い。カメラ４０は、交換レンズ２００とカメラ本体２１０とから構成される。
【００３４】
被写体像は、光軸２０１に沿って交換レンズ２００に配置された光学系を透過し、撮像素子２３１の受光面に結像する。光学系は、フォーカスレンズ２０２、ズームレンズ２０３、絞り２０４等を含む。光学系は、レンズシステム制御部２０５によって制御される。例えば、レンズシステム制御部２０５は、駆動回路２０７を介してフォーカスレンズ２０２を移動させるモータおよびズームレンズ２０３を移動させるモータを制御する。また、レンズシステム制御部２０５は、駆動回路２０７を介して絞り２０４を駆動する。
【００３５】
レンズシステム制御部２０５は、レンズマウント接点２０６およびカメラマウント接点２２１を介してカメラシステム制御部２２０と接続される。レンズシステム制御部２０５およびカメラシステム制御部２２０は、相互に通信を実行しつつ協働して交換レンズ２００とカメラ本体２１０を制御する。
【００３６】
撮像素子２３１は、光学系を透過して入射する被写体像である光学像を光電変換する素子であり、例えば、ＣＣＤ、ＣＭＯＳセンサが用いられる。撮像素子２３１で光電変換された被写体像は、Ａ／Ｄ変換器２３２でアナログ信号からデジタル信号に変換される。デジタル信号に変換された被写体像は、画像データとして順次処理される。
【００３７】
Ａ／Ｄ変換器２３２によりデジタル信号に変換された画像データは、画像処理部２３３へ引き渡される。画像処理部２３３は、設定されている撮影モード、撮影者からの指示に従って、画像データを規格化された画像フォーマットの画像データに変換する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、生成された連続する静止画としてのフレーム画像に対して、フレーム内符号化、フレーム間符号化を施して圧縮処理を行う。
【００３８】
Ａ／Ｄ変換器２３２から画像処理部２３３へ入力される画像データ量が、画像処理部２３３の処理能力を上回る場合は、未処理の画像データは、メモリ制御部２３４の制御により一旦内部メモリ２３５へ記憶される。つまり、内部メモリ２３５は、連写撮影、動画撮影において高速に連続して画像データが生成される場合に、画像処理の順番を待つバッファメモリとしての役割を担う。内部メモリ２３５は、高速で読み書きのできるランダムアクセスメモリであり、例えばＤＲＡＭ、ＳＲＡＭなどが用いられる。また、内部メモリ２３５は、画像処理部２３３が行う画像処理、圧縮処理において、ワークメモリとしての役割も担う。内部メモリ２３５は、これらの役割を担うに相当する十分なメモリ容量を備える。メモリ制御部２３４は、いかなる作業にどれくらいのメモリ容量を割り当てるかを制御する。
【００３９】
画像処理部２３３によって処理された静止画像データ、動画像データは、メモリ制御部２３４の制御により、内部メモリ２３５から記録媒体ＩＦ２３８を介して、記録媒体２３９に記録される。記録媒体２３９は、フラッシュメモリ等により構成される、カメラ本体２１０に対して着脱可能な不揮発性メモリである。
【００４０】
画像処理部２３３で処理された画像データは、記録用に処理される画像データに並行して、表示用の画像データを生成する。生成された表示用の画像データは、表示制御部２３６の制御に従って、表示部２３７に表示される。記録の有無に関わらず、逐次表示用の画像データを生成して表示部２３７に表示すれば、電子ファインダ機能としてライブビューを実現できる。また、画像の表示と共に、もしくは画像を表示することなく、カメラ４０の各種設定に関する様々なメニュー項目も、表示制御部２３６の制御により表示部２３７に表示することができる。
【００４１】
カメラ４０は、上記の画像処理における各々の要素も含めて、カメラシステム制御部２２０により直接的または間接的に制御される。カメラシステム制御部２２０は、システムメモリ２２２を備える。システムメモリ２２２は、電気的に消去・記録可能な不揮発性メモリであり、例えばＥＥＰＲＯＭ（登録商標）等により構成される。システムメモリ２２２は、カメラ４０の動作時に必要な定数、変数、プログラム等を、カメラ４０の非動作時にも失われないように記録している。カメラシステム制御部２２０は、定数、変数、プログラム等を適宜内部メモリ２３５に展開して、カメラ４０の制御に利用する。
【００４２】
カメラ本体２１０は、撮影者からの操作を受け付けるレリーズボタン、十字キー等の操作部材２４２を複数備えている。これら操作部材２４２は、撮影者から受け付けた操作に応じた操作情報をカメラシステム制御部２２０へ出力する。カメラシステム制御部２２０は、操作情報に応じた動作を実行する。
【００４３】
カメラシステム制御部２２０は、レリーズボタンの１段階目の押下げであるＳＷ１のオンを検知することにより撮影準備動作であるＡＦ、ＡＥ等を実行する。そして、カメラシステム制御部２２０は、レリーズボタンの２段階目の押下げであるＳＷ２のオンを検知することにより撮像素子２３１よる被写体像の取得動作を実行する。
【００４４】
カメラ本体２１０は、電源２４１から電力供給を受ける。電源制御部２４０は、電源２４１と通信して残電力の検出、電力供給の監視、給電を行う。電源２４１は、２次電池、家庭用ＡＣ電源等により構成される。また、交換レンズ２００への給電は、レンズマウント接点２０６、カメラマウント接点２２１を介して行われる。
【００４５】
スピードライト２４３は、カメラ本体２１０に外付けされ、撮影時に閃光発光を行う。スピードライト２４３は、発光部２４４および発光制御部２４５を備える。カメラシステム制御部２２０は、撮影時にスピードライト２４３へ発光を制御する制御信号を送信する。発光制御部２４５は、カメラシステム制御部２２０からの制御信号に応じて、発光部２４４を駆動して閃光発光させる。
【００４６】
本実施形態において、スピードライト２４３は、コマンドを示す光信号を照明制御ユニット１０へ送信する送信部として機能する。具体的には、まず、カメラシステム制御部２２０は、コマンドの内容を示す制御信号を発光制御部２４５へ送信する。そして、発光制御部２４５は、カメラシステム制御部２２０からの制御信号に応じて発光部２４４を高速パルス発光させる。スピードライト２４３は、発光部２４４の高速パルス発光により、コマンド信号を光信号として照明制御ユニット１０へ送信する。上述したレリーズボタンのＳＷ２がオンになった場合に、スピードライト２４３は、上述の発光指令信号を光信号として照明制御ユニット１０へ送信する。なお、スピードライト２４３は、カメラ本体２１０に内蔵されてもよい。
【００４７】
図６は、照明制御処理を示すフロー図である。本フローは、例えばソケット３０が設置されている部屋の電灯のスイッチがオンになり、ソケット３０から照明制御ユニット１０へ電力が供給されたときに開始する。
【００４８】
ステップＳ１０１では、システム制御部１００は、無線通信モジュール１０７がカメラ４０から上述した発光指令信号を受信したか否かを判断する。発光指令信号が受信された場合にはステップＳ１０２へ移行し、発光指令信号が受信されていない場合にはステップＳ１０３へ移行する。
【００４９】
ステップＳ１０２では、システム制御部１００は、閃光発光を照明ユニット２０に実行させる。閃光発光の制御処理の詳細は、図４を用いて上述したとおりである。ステップＳ１０３では、システム制御部１００は、照明用発光を照明ユニット２０に実行させる。照明用発光の制御処理は、図４を用いて上述したとおりである。
【００５０】
ステップＳ１０４では、システム制御部１００は、ソケット３０から電力が供給されなくなったか否かを判断する。例えば、ソケット３０が設置されている部屋の電灯のスイッチがオフになった場合に、ソケット３０から照明制御ユニット１０への電力供給がなくなる。ソケット３０から電力が供給されている場合にはステップＳ１０１へ戻り、ソケット３０から電力が供給されなくなった場合には本フローを終了する。
【００５１】
次に、本実施形態の他の照明制御処理について説明する。他の照明制御処理において、カメラ４０のスピードライト２４３は、発光指令信号を送信する前に、撮影の直前であることを示す撮影直前信号を光信号として照明制御ユニット１０へ送信する。具体的には、スピードライト２４３は、上述したレリーズボタンのＳＷ１がオンになった場合に、撮影直前信号を照明制御ユニット１０へ送信する。照明制御ユニット１０は、無線通信モジュール１０７が撮影直前信号を受信した場合に、第１の発光である閃光発光の準備処理を実行する。
【００５２】
例えば、照明制御ユニット１０は、閃光発光の準備処理として照明ユニット２０の発光色の変更を行う。具体的には、照明制御ユニット１０のシステム制御部１００は、照明ユニット２０のカラーフィルターを照明発光用の電球色のフィルターから閃光発光用の白昼色のフィルターに変更する制御信号を、照明ユニット２０へ出力する。
【００５３】
また、照明制御ユニット１０は、閃光発光の準備処理として照明ユニット２０の照射位置の変更を行ってもよい。具体的には、ソケット３０はレールに移動可能に設置されており、ソケット３０を駆動する駆動装置が予め設けられている。そして、照明制御ユニット１０のシステム制御部１００は、無線通信モジュール１０７を介してカメラ４０から被写体の位置情報を受信し、被写体の位置を示す制御信号をソケット３０の駆動装置へ出力する。ソケット３０の駆動装置は、この制御信号が示す位置の近傍にソケット３０を移動させる。なお、システム制御部１００は、無線通信モジュール１０７を介して被写体に装着されたＩＣタグから被写体の位置情報を受信してもよい。
【００５４】
さらに、照明制御ユニット１０は、閃光発光の準備処理として照明ユニット２０の照射方向の変更を行ってもよい。図７は、照明ユニットの照射方向を変更可能な照明制御ユニットの構成図である。図７に示すとおり、照明制御ユニット１０は、上述の構成要素とともに軸部３０１および駆動モータ３０２を備える。装着部１４は、一体に形成された軸部３０１を備える。軸部３０１は、ユニット本体１１の内部に設けられた軸受等により、ユニット本体１１に対して揺動可能に設けられている。したがって、軸部３０１と一体に形成された装着部１４は、軸部３０１とともにユニット本体１１に対して揺動することができる。なお、図７において、軸部３０１の軸方向、すなわち装着部１４および軸部３０１の揺動の軸方向をＹ軸方向とする。また、照明制御ユニット１０の取付方向をＺ軸方向とする。
【００５５】
駆動モータ３０２は、軸部３０１の軸方向を回転軸として軸部３０１を回転させる。照明制御ユニット１０のシステム制御部１００は、無線通信モジュール１０７を介してカメラ４０から被写体の位置情報を受信し、照明ユニット２０に被写体の方向を照射させる角度を示す制御信号を、駆動モータ３０２を駆動する駆動制御回路へ出力する。この駆動制御回路は、この制御信号が示す角度に装着部１４が傾くように駆動モータ３０２を駆動する。なお、システム制御部１００は、無線通信モジュール１０７を介して被写体に装着されたＩＣタグから被写体の位置情報を受信してもよい。
【００５６】
図７の構成において、装着部１４の揺動は１軸で行われるが、２軸であってもよい。具体的には、図７のＸ軸方向を第２の揺動の軸方向として、上述した軸部３０１、駆動モータ３０２と同様の構成を設けるようにしてもよい。
【００５７】
図８は、撮影直前信号を用いた照明制御処理を示すフロー図である。本フローは、図６のフローと同様に、例えばソケット３０が設置されている部屋の電灯のスイッチがオンになり、ソケット３０から照明制御ユニット１０へ電力が供給されたときに開始する。
【００５８】
ステップＳ２０１では、システム制御部１００は、無線通信モジュール１０７がカメラ４０から上述した撮影直前信号を受信したか否かを判断する。撮影直前信号が受信された場合にはステップＳ２０２へ移行し、撮影直前信号が受信されていない場合にはステップＳ２０６へ移行する。
【００５９】
ステップＳ２０２では、システム制御部１００は、閃光発光の準備処理を実行する。閃光発光の準備処理の詳細は上述したとおりである。ステップＳ２０３では、図６のフローのステップＳ１０１と同様に、システム制御部１００は、無線通信モジュール１０７がカメラ４０から上述した発光指令信号を受信したか否かを判断する。発光指令信号が受信された場合にはステップＳ２０４へ移行し、発光指令信号が受信されていない場合にはステップＳ２０５へ移行する。
【００６０】
ステップＳ２０４では、システム制御部１００は、図６のステップＳ１０２と同様に、閃光発光を照明ユニット２０に実行させる。システム制御部１００は、閃光発光の発光期間が経過した後、ステップＳ２０５へ移行する。ステップＳ２０５では、システム制御部１００は、照明用発光の準備処理を実行する。
【００６１】
照明用発光の準備処理は、ステップＳ２０２で実行した閃光発光の準備処理で実行した変更を元に戻す処理である。具体的には、システム制御部１００は、照明ユニット２０の照明色の変更を元に戻す処理、照明ユニット２０の照射位置の変更を元に戻る処理、照明ユニット２０の照射方向の変更を元に戻す処理を行う。
【００６２】
ステップＳ２０６では、図６のステップＳ１０３と同様に、システム制御部１００は、照明用発光を照明ユニット２０に実行させる。ステップＳ２０７では、図６のステップＳ１０４と同様に、システム制御部１００は、ソケット３０から電力が供給されなくなったか否かを判断する。ソケット３０から電力が供給されている場合にはステップＳ１０１へ戻り、ソケット３０から電力が供給されなくなった場合には本フローを終了する。
【００６３】
次に、撮影者がカメラ４０で動画を撮影する場合の閃光発光制御処理について説明する。図９は、動画撮影時の閃光発光制御処理を示すフロー図である。本フローは、例えばカメラ４０の電源がオンになったときに開始する。ステップＳ３０１では、カメラ４０のカメラシステム制御部２２０は、動画撮影のフレームレートを決定する。具体的には、カメラシステム制御部２２０は、フレームレート設定のメニュー画面を表示部２３７に表示させ、ユーザの操作に応じてフレームレートを決定する。
【００６４】
ステップＳ３０２では、カメラ４０のカメラシステム制御部２２０は、操作部材２４２を用いて動画撮影の開始操作を受け付ける。動画撮影の開始操作が受け付けられた場合にステップＳ３０３へ移行し、カメラ４０のスピードライト２４３は、フレームレートすなわち動画撮影の周期を示す周期信号を上述の発光指令信号とともに光信号として送信する。
【００６５】
ステップＳ３０４では、照明制御ユニット１０のシステム制御部１００は、動画撮影のフレームレートに同期した閃光発光周期でＬＥＤ２１の明滅を開始させる。ステップＳ３０５では、カメラ４０のカメラシステム制御部２２０は、例えば測光センサ等の外光センサを用いた周知のフリッカー検知技術を採用して、ＬＥＤ２１の明滅周期において照度が最も大きくなるタイミングを検知する。ステップＳ３０６では、カメラシステム制御部２２０は、このタイミングにおいて撮像素子２３１が電荷蓄積を行うように露光制御を実行し、動画撮影を継続する。
【００６６】
ステップＳ３０７では、カメラ４０のカメラシステム制御部２２０は、操作部材２４２を用いて動画撮影の終了操作を受け付ける。動画撮影の終了操作が受け付けられた場合にステップＳ３０３へ移行し、カメラ４０のスピードライト２４３は、発光終了信号を光信号として照明制御ユニット１０へ送信する。そして、ステップＳ３０９では、カメラシステム制御部２２０は、動画撮影処理を終了する。また、ステップＳ３１０では、照明制御ユニット１０は、発光終了信号に応じて周期閃光発光を終了する。なお、照明制御ユニット１０は、周期閃光発光を終了した場合に、上述の照明用発光を照明ユニット２０に実行させる。
【００６７】
動画撮影時に照明ユニット２０に周期的な閃光発光を実行させることにより、継続的な閃光発光に比べ閃光発光の期間を短くして消費電力を抑えることができる。また、照明ユニット２０が周期閃光発光を実行しても一番明るいところで動画撮影を行うことができる。
【００６８】
上述の実施形態では、照明制御ユニット１０と照明ユニット２０を別体で形成したが、一体に形成してもよい。図１０は、照明機器の外観図である。照明機器４００は、照明制御ユニット４１０と照明ユニット４２０とを備える。照明制御ユニット４１０は、ユニット本体４１１、取付部４１２および通信アンテナ４１３を備える。ユニット本体４１１、取付部４１２および通信アンテナ４１３は、それぞれ上述の照明制御ユニット１０のユニット本体１１、取付部１２および通信アンテナ１３と同様の機能を有する。
【００６９】
照明ユニット４２０は、照明制御ユニット４１０に一体に形成され、上述の照明ユニット２０と同様の機能を有する。このように、照明制御ユニットと照明ユニットとを一体で形成することにより、上述の照明制御ユニット１０の装着部１４および照明ユニット２０の口金を省略して部品点数を削減することができる。
【００７０】
上述の実施形態において、部屋の天井に設置されたソケットに照明制御ユニットを取り付けたが、街灯のソケットに照明制御ユニットを取り付けてもよい。このように街灯に照明制御ユニットを取り付け照明ユニットを装着することにより、パレード等を撮影する場合に街灯の照明をスピードライトとして用いることができる。
【００７１】
上述の実施形態において、スピードライト２４３がコマンド信号を光信号として照明制御ユニット１０へ送信したがこれに限らない。スピードライト２４３と異なる光送信部をカメラ本体２１０に設け、光送信部がコマンド信号を光信号として照明制御ユニット１０へ送信してもよい。また、上述の実施形態において、照明制御ユニット１０とカメラ４０との間の通信に光通信を適用したが、通信方式はこれに限らず、Ｂｌｕｅｔｏｏｔｈ（登録商標）等の無線通信を適用してもよい。
【００７２】
以上、本発明を実施の形態を用いて説明したが、本発明の技術的範囲は上記の実施形態に記載の範囲には限定されない。上記の実施形態に、多様な変更または改良を加えることが可能であることが当業者に明らかである。その様な変更または改良を加えた形態も本発明の技術的範囲に含まれ得ることが、特許請求の範囲の記載から明らかである。
【００７３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７４】
１０  照明制御ユニット、１１  ユニット本体、１２  取付部、１３  通信アンテナ、１４  装着部、２０  照明ユニット、２１  ＬＥＤ、３０  ソケット、４０  カメラ、  １００  システム制御部、１０１  システムメモリ、１０２  ＡＣ−ＤＣコンバータ、１０３  電圧制御回路、１０４  電圧測定回路、１０５  基準電圧設定回路、１０６  比較部、１０７  無線通信モジュール、２００  交換レンズ、２０１  光軸、２０２  フォーカスレンズ、２０３  ズームレンズ、２０４  絞り、２０５  レンズシステム制御部、２０６  レンズマウント接点、２０７  駆動回路、２１０  カメラ本体、２２０  カメラシステム制御部、２２１  カメラマウント接点、２２２  システムメモリ、２３１  撮像素子、２３２  Ａ／Ｄ変換器、２３３  画像処理部、２３４  メモリ制御部、２３５  内部メモリ、２３６  表示制御部、２３７  表示部、２３８  記録媒体ＩＦ、２３９  記録媒体、２４０  電源制御部、２４１  電源、２４２  操作部材、２４３  スピードライト、２４４  発光部、２４５  発光制御部、３０１  軸部、３０２  駆動モータ、４００  照明機器、４１０  照明制御ユニット、４１１  ユニット本体、４１２  取付部、４１３  通信アンテナ、４２０  照明ユニット
【図１】
2013029668.tif 000003
【図２】
2013029668.tif 000004
【図３】
2013029668.tif 000005
【図４】
2013029668.tif 000006
【図５】
2013029668.tif 000007
【図６】
2013029668.tif 000008
【図７】
2013029668.tif 000009
【図８】
2013029668.tif 000010
【図９】
2013029668.tif 000011
【図１０】
2013029668.tif 000012